(57)【要約】【課題】構造が簡単な新規なものとする。【解決手段】上水道、下水道、工業用水、農業用水、その他のパイプラインに介設されたバルブ（弁）を開閉するＴ字状ハンドル（Ｔバー）を、トルクレンチで回す際、そのＴ字状ハンドルとトルクレンチを連結するアダプタ２０である。板状の台座２１と、その台座２１の一方の板表面に設けたトルクレンチ３０の嵌合部材３２が嵌る嵌合部２２と、台座２１の他方の板表面に設けた複数の棒状突起２３とからなる。その複数の棒状突起間はＴ字状ハンドル横杆１２が嵌る間隔ｔを有する。Ｔ字状ハンドルの横杆に複数の棒状突起をその横杆を挟んではめ込んで回転方向に一体とする。台座の嵌合部にトルクレンチの嵌合部材を嵌め、このアダプタ２０を介しトルクレンチ３０によってＴ字状ハンドル１０を回してバルブＶの開閉を行う。このとき、トルクレンチ３０による回転であるから、所要のトルクでバルブＶを開閉できる。【選択図】図１
2018183821.tif 000002
【特許請求の範囲】
【請求項１】
Ｔ字状ハンドル（１０）によってバルブ（Ｖ）を開閉する際、そのＴ字状ハンドル（１０）とトルクレンチ（３０）を連結するアダプタ（２０）であって、台座（２１）と、その台座（２１）の一面に設けた前記トルクレンチ（３０）の嵌合部材（３２）が嵌る嵌合部（２２）と、台座（２１）の前記一面と反対側の他面に設けた複数の棒状突起（２３）とからなり、その複数の棒状突起（２３、２３）間は前記Ｔ字状ハンドル（１０）の横杆（１２）が嵌る間隔（ｔ）を有するアダプタ。
【発明の詳細な説明】
【技術分野】
【０００１】
この発明は、上水道、下水道、工業用水、農業用水、その他のパイプラインに介設されたバルブ（弁）を開閉するＴ字状ハンドル（Ｔバー）を、トルクレンチで回す際、そのＴ字状ハンドルとトルクレンチを連結するアダプタに関するものである。
【背景技術】
【０００２】
例えば、図１に示すように、地盤Ｇに埋設した水道管Ｐの止水栓（止水用バルブ）Ｖを開閉するには、Ｔ字状ハンドル１０を用いて行われる。そのＴ字状ハンドル１０は、バルブＶの弁軸ａ上端に嵌める嵌合部１１ａを有する縦杆１１と、その縦杆１１の上端の横杆１２とから成り、その縦杆１１を地上からバルブＶまで挿入して、下端の嵌合部１１ａをバルブＶの弁軸ａ上端に嵌め込み、横杆１２を縦杆１１を軸心として回転することによって、バルブＶを開閉する（特許文献１第１図等参照）。
【０００３】
そのバルブＶの開閉時、長時間操作していないバルブＶは、弁箱内部で発生した錆などの固着が原因となって弁軸ａの回転を阻害し、高いトルクを負荷しなければ、回せない場合がある。一方、一般的に、上水道用バルブＶにおいては、弁体開閉時の作動（操作）トルク（弁軸回転トルク）が定められている。
このため、その作動トルクは、開閉するバルブメーカー推奨の操作トルクを大幅に超えないようにする必要がある。このとき、トルクレンチ３０で管理しながら操作するのが理想的であり、従来、そのために、トルクレンチ３０とＴ字状ハンドル１０を直結できる専用のアダプタや開栓キーを特別に用意していた。
【先行技術文献】
【特許文献】
【０００４】
【特許文献１】実開昭６１−１３０７９号公報
【特許文献２】特開平０６−２９７３５２号公報
【特許文献３】特開平０５−９６４７３号公報
【特許文献４】特開２０１４−１２４７０６号公報
【発明の概要】
【発明が解決しようとする課題】
【０００５】
上記特別な開栓キーは汎用性がないため、当該バルブＶ専用となり、コスト高となるとともに、各バルブＶに対応した開栓キーをそれぞれに用意しなければならない等の煩雑である。
また、トルクレンチ３０と直結する従来のアダプタは、その構造が複雑であって、高価なものとなっている。
【０００６】
この発明は、以上の実状の下、Ｔ字状ハンドル１０とトルクレンチ３０を接続（直結）し得る、簡単な構造のアダプタを提供することを課題とする。
【課題を解決するための手段】
【０００７】
上記課題を達成するため、この発明は、Ｔ字状ハンドルによってバルブを開閉する際、そのＴ字状ハンドルとトルクレンチを連結するアダプタであって、台座と、その台座の一面に設けたトルクレンチの嵌合部材が嵌る嵌合部と、台座の前記一面と反対側の他面に設けた複数の棒状突起とからなり、その複数の棒状突起間はＴ字状ハンドルの横杆が嵌る間隔を有する構成を採用したのである。
【０００８】
この構成のアダプタは、Ｔ字状ハンドルの横杆に複数の棒状突起をその横杆を挟むように嵌め込み、その嵌め込み位置が、縦杆を境にして両側であれば、縦杆周りの回転方向に一体となる。このため、台座の嵌合部にトルクレンチの嵌合部材を嵌めれば、このアダプタを介し、トルクレンチによってＴ字状ハンドルを回転させてバルブの開閉を行うことができる。このとき、トルクレンチによる回転であるから、開閉するバルブメーカー推奨の操作トルクを大幅に超えないようにすることができる。
【発明の効果】
【０００９】
この発明は、以上のように構成したので、長時間操作していないバルブであっても、高価かつ特別な開栓キーを準備することなく、汎用のＴ字状ハンドルを使用し、汎用のトルクレンチによって、安価にして適切な操作トルクで操作（開閉）できる。このため、経済的であるとともに、定量的なバルブの管理が可能となる。
【図面の簡単な説明】
【００１０】
【図１】この発明に係るトルクレンチ用アダプタの実施形態の使用状態概略断面図
【図２】同一実施形態を示し、（ａ）は斜視図、（ｂ）は平面図、（ｃ）は正面図、（ｄ）は右側面図、（ｅ）は底面図
【図３】同他の実施形態を示し、（ａ）は斜視図、（ｂ）は平面図、（ｃ）は正面図、（ｄ）は右側面図、（ｅ）は底面図
【図４】同他の実施形態を示し、（ａ）は斜視図、（ｂ）は平面図、（ｃ）は正面図、（ｄ）は右側面図、（ｅ）は底面図
【図５】同他の実施形態を示し、（ａ）は斜視図、（ｂ）は平面図、（ｃ）は正面図、（ｄ）は右側面図、（ｅ）は底面図
【発明を実施するための形態】
【００１１】
この発明に係るトルクレンチ用アダプタは、上記図１に示すように、地中Ｇに埋設した水道管Ｐの仕切弁等からなる止水栓（止水用バルブ）Ｖを開閉するＴ字状ハンドル１０に用いられる。その一実施形態を図２に示し、このアダプタ２０１（総称符号：２０）は、板状の台座２１と、その台座２１の一方の板表面（一面）に設けたトルクレンチ３０のヘッド３１の嵌合部材３２が嵌る嵌合部２２と、台座２１の他方の板表面（一面の反対側の他面）に溶接で設けた２本の棒状突起２３とからなる。台座２１は、板状でなくても、嵌合部２２と棒状突起２３を設けることができれば何れの形状、例えば、ブロック状であっても良い。
【００１２】
両棒状突起２３、２３の間隔ｔは、Ｔ字状ハンドル１０の横杆１２が嵌り得る大きさを有すれば良いが、両棒状突起２３、２３の間隔ｔが大きすぎると（離れ過ぎると）、トルクレンチ３０のトルク指示値とＴ字状ハンドル１０によるトルクの乖離が大きくなるため、極力その間隔ｔは狭い方が好ましい。一方、間隔ｔが狭すぎると、アダプタ２０１を介して、トルクレンチ３０のトルクがＴ字状ハンドル１０に確実に伝達されない恐れがある。このため、間隔ｔは、バルブＶの弁軸ａを回転し得て、トルクレンチ３０のトルク指示値とＴ字状ハンドル１０によるトルクの乖離が大きくならないように、実験などによって適宜に設定する。
【００１３】
嵌合部２２は、台座２１に六角ナット（雌ねじの詳細は省略）を溶接して形成されている。この六角ナット２２は、トルクレンチ３０のヘッド３１の嵌合部材（連結部）３２の六角状の嵌合穴３２ａに嵌る（特許文献２図６、図７等参照）。ヘッド３１は、周知の構造でもって、レバー３３の左右方向（時計周り方向及び反時計周り方向）のどちらへの回転に対してもトルク設定できるようになっている（特許文献４等参照）。
なお、台座２１、嵌合部２２、棒状突起２３及びそれらの溶接は、Ｔ字状ハンドル１０の操作トルクに負けない十分な強度と寸法等を有するように設定する。また、嵌合部２２はボルトの頭部（雌ねじ穴が無い）形状とすることもできる。
【００１４】
このアダプタ２０１は以上の構成であり、図１に示すように、まず、Ｔ字状ハンドル１０の縦杆１１を地盤Ｇの縦穴Ｈに挿入し、その下端の嵌合部１１ａをバルブＶの弁軸ａ上端に嵌め込む。
つぎに、Ｔ字状ハンドル１０の横杆１２の中央にこのアダプタ２０（２０１）を嵌め、さらにその嵌合部（六角ナット）２２にトルクレンチ３０の嵌合部材３２を嵌合穴３２ａを介して嵌めると、トルクレンチ３０がアダプタ２０を介してＴ字状ハンドル１０に連結される。このとき、縦杆１１と嵌合部２２の両軸心が一致するようにする。
【００１５】
この状態で、トルクレンチ３０のレバー３３を回す（図１において、紙面表裏方向）と、アダプタ２０を介してＴ字状ハンドル１０がその縦杆１１を軸として回転し、バルブＶの弁軸ａを回転させる。
このとき、トルクレンチ３０によって、その弁軸ａの回転トルクが制御されて、所要のトルクでバルブＶが開閉される。
【００１６】
上記実施形態のアダプタ２０１の棒状突起２３は２本であったが、棒状突起２３は、複数であれば良い。例えば、図３に示すアダプタ２０２のように３本、図４に示すアダプタ２０３のように４本などとし得る。そのとき、各棒状突起２３、２３の間隔ｔは、同様に、バルブＶの弁軸を回転し得て、トルクレンチ３０のトルク指示値とＴ字状ハンドル１０によるトルクの乖離が大きくならないように、実験などによって適宜に設定する。
また、嵌合部２２は、図５に示すアダプタ２０４のように、トルクレンチ３０の角柱状嵌合部材３２（特許文献３図１等参照）が嵌る角柱状穴２４とすることもできる。このアダプタ２０４においても、棒状突起２３は２本に限らず、複数あれば良いことは勿論である。
【００１７】
さらに、このアダプタ２０は、地盤Ｇに埋設した水道管Ｐの止水栓（止水用バルブ）Ｖを開閉するＴ字状ハンドル１０に限らず、各種態様のバルブの開閉操作を行うＴ字状ハンドルに採用し得ることは言うまでもない。
なお、アダプタ２０の嵌合部２２とトルクレンチ３０の嵌合部材３２（３２ａ）が対応せずに、嵌り合わない場合は、その両者にそれぞれ嵌る嵌合部（例えば、角穴、角柱）を表裏面にそれぞれ有する治具（コマ）を使用し、その治具を介してアダプタ２０とトルクレンチ３０を連結して一体にすることができる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００１８】
１０  Ｔ字状ハンドル（Ｔバー）
１１  Ｔ字状ハンドルの縦杆
１１ａ  同弁棒への嵌合部
１２  同横杆
２０、２０１、２０２、２０３、２０４  アダプタ
２１  アダプタの板状台座
２２  同トルクレンチへの嵌合部
２３  同棒状突起
２４  角柱状穴
３０  トルクレンチ
３１  トルクレンチのヘッド
３２  同アダプタへの嵌合部材
３３  同レバー
Ｐ  水道管
Ｖ  バルブ（止水栓）
ｔ  棒状突起の間隔
【図１】
2018183821.tif 000003
【図２】
2018183821.tif 000004
【図３】
2018183821.tif 000005
【図４】
2018183821.tif 000006
【図５】
2018183821.tif 000007